(57)【要約】      （修正有）【課題】場所をとることなく、マイクロフォンを消毒することができるマイクロフォン消毒装置を提供する。【解決手段】マイクロフォン消毒装置１は、取り付け部１０と、マイクロフォン保持部１１と、紫外線照射部１２と、を備える。取り付け部１０は、矩形板状の部材で、一対の孔が設けられて、壁２０に取り付け可能である。マイクロフォン保持部１１は、取り付け部１０に固定され、マイクロフォン３０の集音部３０ａと把持部３０ｂとの間に設けられた転がり防止部３０ｃを下から支持することによりマイクロフォン３０を保持する。紫外線照射部１２は、取り付け部１０に固定され、マイクロフォン保持部１１に保持されたマイクロフォン３０に紫外線を照射する。【選択図】図１
0003227849.tif 000002
【実用新案登録請求の範囲】
【請求項１】
マイクロフォンを消毒するマイクロフォン消毒装置であって、
壁に取り付け可能な取り付け部と、
前記取り付け部に固定され、前記マイクロフォンを保持するマイクロフォン保持部と、
前記取り付け部に固定され、前記マイクロフォン保持部に保持された前記マイクロフォンに向けて紫外線を照射する紫外線照射部と、
を備えるマイクロフォン消毒装置。
【請求項２】
前記マイクロフォン保持部は、前記マイクロフォンの集音部と把持部との間に設けられた転がり防止部又は前記集音部を下から支持することにより、前記マイクロフォンを保持する、
請求項１に記載のマイクロフォン消毒装置。
【請求項３】
前記マイクロフォン保持部は、前記把持部が外部に露出した状態で、前記マイクロフォンを保持する、
請求項２に記載のマイクロフォン消毒装置。
【請求項４】
前記紫外線照射部から照射される紫外線を、前記マイクロフォンに向けて反射するカバーを備える、
請求項１から３のいずれか一項に記載のマイクロフォン消毒装置。
【請求項５】
前記マイクロフォン保持部が前記マイクロフォンを保持したときに、前記紫外線照射部が、紫外線の照射を開始し、
前記マイクロフォン保持部から前記マイクロフォンが取り出された時に、前記紫外線照射部が、紫外線の照射を停止する、
請求項１から４のいずれか一項に記載のマイクロフォン消毒装置。
【請求項６】
前記紫外線照射部は、紫外線を間欠的に照射する、
請求項１から５のいずれか一項に記載のマイクロフォン消毒装置。
【考案の詳細な説明】
【技術分野】
【０００１】
本考案は、マイクロフォン消毒装置に関する。
【背景技術】
【０００２】
特許文献１には、筐体内部に、マイクロフォンを載置するマイクロフォン載置部を有し、マイクロフォン載置部に載置したマイクロフォンを消毒するマイクロフォン消毒装置が開示されている。
【先行技術文献】
【特許文献】
【０００３】
【特許文献１】特開２０１１−０９７５１１号公報
【考案の概要】
【考案が解決しようとする課題】
【０００４】
しかしながら、特許文献１に開示されたマイクロフォン消毒装置は、使用する際に装置の設置場所が必要になる。このようなマイクロフォンが用いられるカラオケボックスなどの部屋は狭いため、マイクロフォン消毒装置は、できるだけ場所を取らないようにするのが望ましい。
【０００５】
本考案は、上記実情の下になされたものであり、場所をとることなく、マイクロフォンを消毒することができるマイクロフォン消毒装置を提供することを目的とする。
【課題を解決するための手段】
【０００６】
上記目的を達成するために、本考案に係るマイクロフォン消毒装置は、
マイクロフォンを消毒するマイクロフォン消毒装置であって、
壁に取り付け可能な取り付け部と、
前記取り付け部に固定され、前記マイクロフォンを保持するマイクロフォン保持部と、
前記取り付け部に固定され、前記マイクロフォン保持部に保持された前記マイクロフォンに向けて紫外線を照射する紫外線照射部と、
を備える。
【０００７】
この場合、前記マイクロフォン保持部は、前記マイクロフォンの集音部と把持部との間に設けられた転がり防止部又は前記集音部を下から支持することにより、前記マイクロフォンを保持する、
こととしてもよい。
【０００８】
また、前記マイクロフォン保持部は、前記把持部が外部に露出した状態で、前記マイクロフォンを保持する、
こととしてもよい。
【０００９】
前記紫外線照射部から照射される紫外線を、前記マイクロフォンに向けて反射するカバーを備える、
こととしてもよい。
【００１０】
前記マイクロフォン保持部が前記マイクロフォンを保持したときに、前記紫外線照射部が、紫外線の照射を開始し、
前記マイクロフォン保持部から前記マイクロフォンが取り出された時に、前記紫外線照射部が、紫外線の照射を停止する、
こととしてもよい。
【００１１】
前記紫外線照射部は、紫外線を間欠的に照射する、
こととしてもよい。
【考案の効果】
【００１２】
本考案に係るマイクロフォン消毒装置は、壁に掛けることができる。このため、場所をとることなく、マイクロフォンを消毒することができる。
【図面の簡単な説明】
【００１３】
【図１】本考案の実施の形態に係るマイクロフォン消毒装置の正面図である。
【図２】（Ａ）は、図１のマイクロフォン消毒装置の正面図である。（Ｂ）は、図１のマイクロフォン消毒装置の側面図である。（Ｃ）は、図１のマイクロフォン消毒装置の背面図である。
【図３】図１のマイクロフォン消毒装置を正面斜め上から見た図である。
【考案を実施するための形態】
【００１４】
以下、本考案の実施の形態について図面を参照して詳細に説明する。各図面においては、同一又は同等の部分に同一の符号を付す。
【００１５】
図１に示すように、本実施の形態に係るマイクロフォン消毒装置１は、一般に、カラオケなどで用いられるマイクロフォン３０を消毒する装置である。マイクロフォン３０は、集音部３０ａと、集音部３０ａから棒状に延びる把持部３０ｂとを備えるタイプのものである。マイクロフォン３０では、一般的なマイクロフォンと同様に、集音部３０ａの外径は、把持部３０ｂの外径よりも大きくなっている。
【００１６】
また、マイクロフォン３０には、集音部３０ａと把持部３０ｂとの間に、転がり防止部３０ｃが設けられている。このマイクロフォン３０は、無線、例えば赤外線でカラオケ本体機器等に接続されるコードレス方式のものである。
【００１７】
集音部３０ａは、使用者の口が最も近づく場所であり、清潔に保つ必要がある。そこで、本実施の形態に係るマイクロフォン消毒装置１は、主として、この集音部３０ａを消毒する。
【００１８】
マイクロフォン消毒装置１は、取り付け部１０と、マイクロフォン保持部１１と、紫外線照射部１２と、カバー１３と、を備える。
【００１９】
取り付け部１０は、部屋等の壁２０に取り付け可能である。図２（Ａ）、図２（Ｂ）及び図２（Ｃ）に示すように、取り付け部１０は、矩形板状の部材であり、その上部に壁掛け用の一対の孔１０ａが設けられている。壁２０から突出した突起物が、この孔１０ａに挿入されて、係止されることにより、取り付け部１０が、壁２０に固定される。なお、取り付け部１０は、金属製であってもよいし、樹脂製であってもよい。
【００２０】
マイクロフォン保持部１１は、取り付け部１０に固定されており、マイクロフォン３０を保持する。図２（Ｂ）に示すように、マイクロフォン保持部１１は、取り付け部１０の最下部から、水平方向に張り出した部材であり、取り付け部１０と同じ素材で形成することができる。
【００２１】
マイクロフォン保持部１１は、図３に示すように、取り付け部１０の反対側が開放されたＵ字状又はＣ字状の部材となっている。そのＵ字状又はＣ字状の部材の両端部の間の最大径は、把持部３０ｂの外径より大きく、転がり防止部３０ｃの外径より小さくなっている。したがって、Ｕ字状又はＣ字状の部材の両端部の間に、転がり防止部３０ｃを上側とし把持部３０ｂを下側としてマイクロフォン３０を差し込めば、転がり防止部３０ｃが、マイクロフォン保持部１１のＵ字の内側縁部に上から当接した状態で、マイクロフォン３０を保持可能となる。すなわち、マイクロフォン保持部１１は、マイクロフォン３０の集音部３０ａと把持部３０ｂとの間に設けられた転がり防止部３０ｃを下から支持することにより、マイクロフォン３０を保持する。マイクロフォン３０がいわゆる縦置きの状態で保持される。
【００２２】
なお、マイクロフォン３０には、転がり防止部３０ｃが設けられていなくてもよい。この場合には、マイクロフォン保持部１１は、集音部３０ａを下から支持することにより、マイクロフォン３０を保持する。
【００２３】
マイクロフォン保持部１１は、弾性力でマイクロフォン３０を保持する弾性部材を有していてもよい。いずれにしても、マイクロフォン保持部１１は、マイクロフォン３０をワンタッチで脱着できるようにするのが望ましい。
【００２４】
マイクロフォン保持部１１は、把持部３０ｂが外部に露出した状態で、マイクロフォン３０を保持する。これにより、マイクロフォン保持部１１に保持されたマイクロフォン３０の把持部３０ｂをすぐに把持できるので、マイクロフォン３０を、マイクロフォン保持部１１から脱着し易くなる。
【００２５】
本実施の形態では、２つのマイクロフォン３０を設置できるように、マイクロフォン保持部１１が、２つ設置されている。カラオケボックスでは、１室につき、少なくとも２つのマイクロフォン３０が必要となるためである。
【００２６】
紫外線照射部１２は、取り付け部１０に固定されている。より具体的には、紫外線照射部１２は、取り付け部１０の上部に設置されている。マイクロフォン保持部１１に保持されたマイクロフォン３０に向けて紫外線を照射する。この紫外線は、殺菌、すなわち細菌及びウイルスを不活化することができる波長域の光となっている。
【００２７】
紫外線照射部１２は、カバー１３で覆われている。カバー１３は、外側に紫外線がもれないようにするとともに、内面で反射した紫外線を、マイクロフォン３０へ向けて反射するように構成されている。
【００２８】
次に、本実施の形態に係るマイクロフォン消毒装置１の動作について説明する。
【００２９】
マイクロフォン３０は、例えば、カラオケボックスで用いられる。マイクロフォン３０は、マイクロフォン保持部１１から取り出されて使用される。使用後、マイクロフォン３０は、マイクロフォン保持部１１に戻される。マイクロフォン保持部１１がマイクロフォン３０を保持すると、紫外線照射部１２が紫外線の照射を開始する。これにより、マイクロフォン３０の集音部３０ａの殺菌が行われる。
【００３０】
なお、紫外線の照射が開始されてから一定期間Ｔ１経過後、紫外線照射部１２は紫外線の照射を停止するようにしてもよい。この期間Ｔ１は、マイクロフォン３０の集音部３０ａの殺菌が十分に行われる時間とすればよい。
【００３１】
また、紫外線の照射を停止してから時間Ｔ２経過後、紫外線照射部１２は、時間Ｔ１だけ紫外線の照射を行う。このようにして、紫外線照射部１２は、紫外線を間欠的に照射する。このようにすれば、消費電力を低減することができる。
【００３２】
マイクロフォン３０がマイクロフォン保持部１１から取り外されると、紫外線照射部１２は、紫外線の照射を停止する。マイクロフォン３０は、消毒された状態で使用される。
【００３３】
なお、紫外線は、常に照射されるようにしてもよい。また、紫外線照射部１２は、電源スイッチ１２ａの切り替えにより、紫外線の照射及び停止が行われるようにしてもよい。
【００３４】
以上詳細に説明したように、本実施の形態に係るマイクロフォン消毒装置１によれば、壁２０に掛けることができる。このため、場所をとることなく、マイクロフォン３０を消毒することができる。
【００３５】
なお、本実施の形態では、取り付け部１０は、板状の部材であったが、本考案はこれには限らない。マイクロフォン保持部１１と、紫外線照射部１２と、カバー１３とを固定することができる部材で、壁に掛けられるものであればよい。
【００３６】
なお、本実施の形態では、マイクロフォン保持部１１を、マイクロフォン３０を狭持するＵ字状のものとしたが、本考案はこれには限られない。マイクロフォン３０の把持部３０ｂの端部を挿入する孔が設けられたものであってもよい。
【００３７】
また、本実施の形態では、室内の壁に掛けられるものとしたが、本考案はこれには限られない。例えば、カラオケ機器の側面に掛けられるようにしてもよい。また、取り付け部１０は、壁にねじ止めされてもよいし、接着されるようにしてもよい。また、マグネットで壁に取り付けられるものであってもよい。
【００３８】
なお、本実施の形態に係るマイクロフォン消毒装置１は、１台につき、マイクロフォン３０を同時に２つ消毒できるものとしたが、本考案はこれには限られない。例えば、同時に消毒できるのは１つでもよいし、３つ以上であってもよい。
【００３９】
また、本実施の形態では、マイクロフォン３０を、ワイヤレス方式のものとしたが、本考案はこれには限られない。有線のワイヤでカラオケ機器と接続されるものであってもよい。また、本実施の形態では、取り付け部１０を、壁に取り付けられた突起物に掛けられるものとしたが、本考案はこれには限られない。例えば、マグネット又はネジ止めにより、壁に掛けられるものであってもよい。
【００４０】
また、本実施の形態に係るマイクロフォン消毒装置１は、人感センサを設けるようにしてもよい。所定距離内に人がいることを検出した場合には、紫外線の照射を停止するようにしてもよい。
【００４１】
この考案は、この考案の広義の精神と範囲を逸脱することなく、様々な実施の形態及び変形が可能とされるものである。また、上述した実施の形態は、この考案を説明するためのものであり、この考案の範囲を限定するものではない。すなわち、この考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００４２】
本考案は、マイクロフォンの消毒、殺菌に適用することが可能である。
【符号の説明】
【００４３】
１  マイクロフォン消毒装置、１０  取り付け部、１０ａ  孔、１１  マイクロフォン保持部、１２  紫外線照射部、１２ａ  電源スイッチ、１３  カバー、２０  壁、３０  マイクロフォン、３０ａ  集音部、３０ｂ  把持部、３０ｃ  転がり防止部
【図１】
0003227849.tif 000003
【図２】
0003227849.tif 000004
【図３】
0003227849.tif 000005